(57)【要約】【課題】例えばトイレ内の床の隅を設置するも、ブラシの出し入れが行ない易いブラシケースを提供する。【解決手段】縦長の略直方体に形成されたケース本体と、このケース本体に設けられる開口部を開閉する蓋体とが備えられ、前記開口部は、前記ケース本体の隣接する一対の側板に形成され、この開口部を開閉する前記蓋体は、前記開口部が設けられた前記一対の側板間のコーナーと、これら一対の側板に対向する一対の側板間のコーナーとを結ぶほぼ対角線方向に位置変更可能に設けられて、この蓋体の前記ケース本体に対する位置変更により、前記開口部を開閉するように成し、前記ケース本体内に格納されるブラシは、柄の先端部に刷毛部を備えて成り、前記蓋体には、前記刷毛部を受けるトレイ部と前記柄をカバーするカバー体とが設けられている。【選択図】図１
2011004916.tif 000002
【特許請求の範囲】
【請求項１】
縦長の略直方体に形成されたケース本体と、このケース本体に設けられる開口部を開閉する蓋体とが備えられ、前記開口部は、前記ケース本体の隣接する一対の側板に形成され、この開口部を開閉する前記蓋体は、前記開口部が設けられた前記一対の側板間のコーナーと、これら一対の側板に対向する一対の側板間のコーナーとを結ぶほぼ対角線方向に位置変更可能に設けられて、この蓋体の前記ケース本体に対する位置変更により、前記開口部を開閉するように成していることを特徴とするブラシケース。
【請求項２】
前記ケース本体内に格納されるブラシは、柄の先端部に刷毛部を備えて成り、前記蓋体には、前記刷毛部を受けるトレイ部と前記柄をカバーするカバー体とが設けられていることを特徴とする請求項１に記載のブラシケース。
【請求項３】
前記蓋体は、その下端部を支点にして前記ケース本体に対し、前記開口部が設けられた前記一対の側板間のコーナーとこれら一対の側板に対向する一対の側板間のコーナーとを結ぶほぼ対角線方向に揺動可能と成して、この蓋体の揺動により、前記開口部を開閉するように構成していることを特徴とする請求項１又は２に記載のブラシケース。
【発明の詳細な説明】
【技術分野】
【０００１】
本発明は、主としてトイレ用のブラシケースに関する。
【背景技術】
【０００２】
一般にこの種のブラシケースは、縦長の略直方体に形成されたケース本体と、このケース本体の正面に位置する側板に設けられた開口に装填された蓋体とから成り、前記ケース本体内に格納されるブラシは、蓋体を前記した側板の前方側に揺動させることで、この側板に設けた開口を開いて、この開口より適宜取り出すようにしている。
【０００３】
（特許文献１参照）
ところで、以上のブラシケースは、通常、トイレ内における床の隅のコーナー部分に設置されるものであり、そのため、前記した従来のブラシケースでは、ブラシをケース本体内から例えば取り出す際に、ブラシが室内の壁面に沿って引き出されることとなる。
【０００４】
従って従来のブラシケースでは、ブラシの出し入れ時、ブラシの刷毛部分が側板に触れて、壁面を汚す不具合があるし、また出し入れの操作方向も必然的に室内の側板に沿う方向となるので、ブラシを持つ手も側板に沿うように移動させねばならず、全体としてブラシの出し入れも行ない難い不具合がある。
【先行技術文献】
【特許文献】
【０００５】
【特許文献１】実用新案登録第３１３１６２２号公報
【発明の概要】
【発明が解決しようとする課題】
【０００６】
本発明は以上の実情に鑑みて開発したものであって、目的とするところは、例えばトイレ内の床の隅のコーナーに設置するも、ブラシの出し入れが行ない易いブラシケースを提供することにある。
【課題を解決するための手段】
【０００７】
以上の目的を達成するために、請求項１に記載の発明は、縦長の略直方体に形成されたケース本体と、このケース本体に設けられる開口部を開閉する蓋体とが備えられ、前記開口部は、前記ケース本体の隣接する一対の側板に形成され、この開口部を開閉する前記蓋体は、前記開口部が設けられた前記一対の側板間のコーナーと、これら一対の側板に対向する一対の側板間のコーナーとを結ぶほぼ対角線方向に位置変更可能に設けられて、この蓋体の前記ケース本体に対する位置変更により、前記開口部を開閉するように成していることを特徴とする。
【０００８】
請求項２に記載の発明は、請求項１に記載のブラシケースにおいて、前記ケース本体内に格納されるブラシは、柄の先端部に刷毛部を備えて成り、前記蓋体には、前記刷毛部を受けるトレイ部と前記柄をカバーするカバー体とが設けられていることを特徴とする。
【０００９】
請求項３に記載の発明は、請求項１または２に記載のブラシケースにおいて、前記蓋体は、その下端部を支点にして前記ケース本体に対し、前記開口部が設けられた前記一対の側板間のコーナーとこれら一対の側板に対向する一対の側板間のコーナーとを結ぶほぼ対角線方向に揺動可能と成して、この蓋体の揺動により、前記開口部を開閉するように構成していることを特徴とする。
【発明の効果】
【００１０】
請求項１に記載の発明によれば、開口部が、前記ケース本体の隣接する一対の側板に形成され、この開口部を開閉する前記蓋体は、前記開口部が設けられた前記一対の側板間のコーナーと、これら一対の側板に対向する一対の側板間のコーナーとを結ぶほぼ対角線方向に位置変更可能に設けられて、この蓋体の前記ケース本体に対する位置変更により、前記開口部を開閉するように成したことにより、ブラシケースを例えばトイレのように狭い床のコーナーを埋めるように設置した場合、ブラシの出し入れに際しては、蓋体が部屋のコーナーから部屋の中央に向かって位置変更するので、床のデッドスペースを有効に利用しながらも、ブラシの出し入れに際して、ブラシが室内の側面に触れ難くいのであり、従って室内の側面を不用意に汚す虞も防げるし、またブラシの出し入れ時の蓋体の開閉操作も行ない易い。
【００１１】
請求項２に記載の発明によれば、前記ケース本体内に格納されるブラシは、柄の先端部に刷毛部を備えて成り、前記蓋体に、前記ブラシの刷毛部を受けるトレイ部と前記ブラシの柄をカバーするカバー体とが設けられていることにより、請求項１に記載の発明の効果に加えて、蓋体による開口部の閉鎖時には、ブラシの柄がカバー体でカバーされ、ブラシの刷毛部が蓋本体４１で覆われたブラシ収容室内においてトレイ部で受けられるので、ブラシが外部に露呈することがなく、従って、トイレ内の美観を損なうこともない。
【００１２】
請求項３に記載の発明によれば、前記蓋体を、その下端部を支点にして前記ケース本体に対し、前記開口部が設けられた前記一対の側板間のコーナーとこれら一対の側板に対向する一対の側板間のコーナーとを結ぶほぼ対角線方向に揺動可能と成して、この蓋体の揺動により、前記開口部を開閉するように構成したことにより、請求項１または２に記載の発明の効果に加えて、蓋体の開閉操作をより一層簡単且つ容易に行なうことが出来る。
【図面の簡単な説明】
【００１３】
【図１】本発明にかかるブラシケースの一実施形態を示す概略斜視図。
【図２】同、正面図。
【図３】図２におけるＡ−Ａ線断面図。
【図４】上蓋を取り除いたケース本体の拡大平面図。
【図５】ケース本体の要部の横断面図。
【図６】蓋体の縦断面図。
【図７】図６におけるＢ−Ｂ線拡大断面図。
【図８】蓋体を開放した状態を示す図３に対応した断面図。
【図９】本発明にかかるブラシケースを部屋の床のコーナー部分に設置した状態を示す説明図。
【発明を実施するための形態】
【００１４】
先ず、図１はブラシケースの概略斜視図、図２は同正面図、図３は図２におけるＡ−Ａ線断面図、図４は上蓋を取り除いたケース本体の拡大平面図、図５はケース本体の要部の横断面図である。
【００１５】
以上の図において符号１で概略的に示すブラシケースは、基本的には、ブラシ２を収容するためのケース本体３と、このケース本体３に設けられる開口部３６を開閉するための蓋体４とから構成している。
【００１６】
先ずブラシケース１に収容されるブラシ２は、図３にも示されているように、ブラスチック製の柄２１の先端部に刷毛部２２を備えて成る既知構造のものである。
【００１７】
次にブラシケース１を構成するケース本体３は、平面視略正方形とした底板３０と、この底板３０の４つの周縁から立ち上がる４枚の側板３１ａ・３１ｂ・３１ｃ・３１ｄとで囲まれた縦長の略直方体に形成されている。
【００１８】
そして、このケース本体３内の上部には、汚物収納室３２が設けられるとともに、このケース本体３の上端開口には、前記した汚物収納室３２の出入口３２ａを画成する枠体３３が組みつけられ、この枠体３３には、汚物収納室３２の出入口３２ａを開閉する上蓋３４が揺動可能に取り付けられている。
【００１９】
またケース本体３内における汚物収納室３２よりも下方には、ブラシ２の主として刷毛部２２を収容するためのブラシ収容室３５が設けられるとともに、このブラシ収容室３５の出入口となる前記開口部３６が、前記した4枚の側板３１ａ・３１ｂ・３１ｃ・３１ｄ中の隣接する一対の側板３１ａ・３１ｂ間に形成されている。
【００２０】
また隣接する一対の側板３１ａ・３１ｂにおける前記開口部３６よりも上方のコーナー部位には、ブラシ２の柄２１が嵌合可能な窪み３７が設けられている。
【００２１】
また隣接する一対の側板３１ｃ・３１ｄにおけるコーナー部分には、横方向に延びるスリット状の長孔３８が複数形成されている。
【００２２】
また底板３０の中央には、後記するトレイ４４が嵌る貫通孔３０１が設けられると共に、前記開口部３６側のコーナー部位には、スリット状の係止孔３０２が開設され、更にこの係止孔３０２よりも外方には、斜め下方に傾斜する傾斜面３０３が設けられている。
【００２３】
尚、この傾斜面３０３は、ケース本体３に対する蓋体４の開方向への揺動を許容するためのものである。
【００２４】
またケース本体３の下端には、別途形成した化粧カバー３１０が組みつけられている。
【００２５】
一方、前記した開口部３６を開閉する蓋体４は、前記開口部３６を開閉する横断面略くの字状とした蓋本体４１と、この蓋本体４１の上端中央部から上方に略直線状に延びて、ブラシ２の柄２１をカバーするための細長いカバー体４２とが備えられ、蓋体４による開口部３６の閉鎖時には、カバー体４２がブラシ２の柄２１を挟んで前記した窪み３７と対向するようにしている。
【００２６】
また蓋本体４１の内側面には、フック４３に吊り下げられたブラシ２の刷毛部２２を受けるトレイ部４３が一体に形成され、このトレイ部４４の下面で且つ前記開口部３６側のコーナー部位と対向する位置には、前記した係止孔３０２に挿通される突片４４が設けられている。
【００２７】
またカバー体４２の内側側上部には、柄２１の上端部に設けられた引っ掛け孔２３に挿通可能なフック４５が設けられ、このフック４５に前記引っ掛け孔２３を介してブラシ２を吊り下げられるようにしている。
【００２８】
そして、蓋体４は、係止孔３０２に挿通された突片４５の基部を支点にして、開口部３６が設けられている前記一対の側板３１ａ・３１ｂ間のコーナーと、これら一対の側板３１ａ・３１ｂに対向する一対の側板３１ｃ・３１ｄ間のコーナーとを結ぶ対角線方向（図９において矢印Ｘ−Ｙ方向）に沿って揺動可能に設けられ、この蓋体４のケース本体３に対する揺動により、開口部３６が開閉されるようにしている。
【００２９】
尚、ブラシケース１の使用時には、汚物収容室３２内にビニール袋が装填される。
【００３０】
以上のブラシケース１は、図９に示すように、通常、トイレ内のデッドスペースとなるコーナーにおいてこのコーナー部分を埋めるように設置するのである。
【００３１】
そしてこのブラシケース１を図９に示すようにコーナーに設置した場合、ケース本体３に対するブラシ２の出し入れに際しては、蓋体４及びブラシ２が、トイレ内のコーナーからトイレ内の内方に向かって揺動し、従来のようにトイレ内の側壁面Ｗ１・Ｗ２に沿うように揺動することがない。
【００３２】
従って、トイレのように狭い床において、そのコーナーを埋めるように設置することで、トイレ内のデッドスペースを有効に利用しながらも、ブラシの出し入れに際して、ブラシがトイレ内の側壁面に触れ難くいので、トイレ内の側壁面を不用意に汚す虞も防げるし、またブラシ２の出し入れ時の蓋体４の開閉操作も行ない易い。
【００３３】
また蓋体４による開口部３６の閉鎖時には、窪み３７に嵌るブラシ２の柄２１はカバー体４２でカバーされ、ブラシ２の刷毛部２２は蓋本体４１で覆われたブラシ収容室３５内に収容されるので、ブラシ２が外部に露呈することがなく、従って、トイレ内の美観を損なうこともない。
【００３４】
以上の実施形態では、蓋体４を、係止孔３０２に挿通された突片４５の基部を支点にして、開口部３６が設けられている前記一対の側板３１ａ・３１ｂ間のコーナーとこれら一対の側板３１ａ・３１ｂに対向する一対の側板３１ｃ・３１ｄ間のコーナーとを結ぶ対角線方向に沿って揺動可能に設けて、この蓋体４のケース本体３に対する揺動により、開口部３６が開閉されるようにしたが、これに限定されるものではなく、例えば、蓋体４をケース本体３に対して、開口部３６が設けられている前記一対の側板３１ａ・３１ｂ間のコーナーとこれら一対の側板３１ａ・３１ｂに対向する一対の側板３１ｃ・３１ｄ間のコーナーとを結ぶ対角線方向にほぼ沿うようにスライド可能に設け、この蓋体４のケース本体３に対するスライド操作により、開口部３６を開閉するようにしてもよい。
【符号の説明】
【００３５】
１        ブラシケース
２        ブラシ
２１      柄
２２      刷毛部
３        ケース本体
３１ａ・３１ｂ・３１ｃ・３１ｄ  側板
３５      ブラシ収容室
３６      開口部
３７      窪み
４        蓋体
４１      蓋本体
４２      カバー体
【図１】
2011004916.tif 000003
【図２】
2011004916.tif 000004
【図３】
2011004916.tif 000005
【図４】
2011004916.tif 000006
【図５】
2011004916.tif 000007
【図６】
2011004916.tif 000008
【図７】
2011004916.tif 000009
【図８】
2011004916.tif 000010
【図９】
2011004916.tif 000011